【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
中央円筒コアとともに概ねＵ字形のハウジングを有する環状体であって、前記環状体は、内壁と、傾斜壁とを有し、前記傾斜壁は、前記環状体の周りにわたって同心であり、かつ円錐台形の形状に平坦であり、前記傾斜壁は、前記内壁から延在する、環状体と、
前記環状体に固定される環状カバーであって、前記環状カバーが外壁と出っ張りとを備え、前記出っ張りが、前記環状カバーの前記外壁から半径方向内向きに前記環状体を覆って延在して、前記出っ張りの内縁と前記環状体の前記内壁との間に隙間を画定し、前記環状カバーの前記外壁が、前記半径方向内向きに延在する出っ張りよりわずかに高く延在して同心のリップを画定する、環状カバーと、
前記環状体の前記傾斜壁に設けられる少なくとも１つの開口とを備えるひだ付きチューブを供給するのに使用するためのカセット。
【請求項２】
前記傾斜壁が前記環状体の前記内壁と外壁との間に配置される、請求項１に記載のカセット。
【請求項３】
前記傾斜壁が前記環状体の前記内壁と前記外壁との間で上り傾斜となる、請求項１に記載のカセット。
【請求項４】
前記傾斜壁が前記環状体の前記内壁と前記外壁との間で下り傾斜となる、請求項１に記載のカセット。
【請求項５】
前記環状体が下壁をさらに含み、前記傾斜壁が内壁と前記下壁との間に配置される、請求項１に記載のカセット。
【請求項６】
開口した中央円筒コアとともに概ねＵ字形のハウジングを有する環状体であって、前記環状体は、内壁と、傾斜壁と、外壁とを有し、前記傾斜壁は、前記環状体の周りにわたって同心であり、かつ円錐台形の形状に平坦であり、前記傾斜壁は、前記内壁から延在する、環状体と、
外壁と出っ張りとを有し、前記出っ張りが、前記外壁から半径方向内向きに前記環状体を覆って延在して、前記出っ張りの内縁と前記環状体の前記内壁との間に隙間を画定する、環状カバーと、
協働して前記環状体に前記カバーを固定する、前記環状体と前記環状カバーの対向する縁にある、相互に係合する機構と、
前記傾斜壁に設けられる少なくとも１つの開口とを備えるひだ付きチューブを供給するのに使用するためのカセット。
【請求項７】
前記環状カバーの前記外壁が前記半径方向内向きに延在する頂部の出っ張りよりわずかに高く延在して同心のリップを画定して、前記環状カバーの前記頂部の出っ張りの一部の上に別のカセットが積み重ねられている間、前記別のカセットが前記リップ内に固定することができる、請求項６に記載のカセット。
【請求項８】
中央円筒コアとともに概ねＵ字形のハウジングを有する環状体であって、前記環状体は、内壁と、傾斜壁と、底壁と、外壁とを有し、前記傾斜壁は、前記環状体の周りにわたって同心であり、かつ円錐台形の形状に平坦であり、前記底壁は、水平であり、かつ同心状に平坦であり、前記傾斜壁は、前記内壁から延在する、環状体と、
外壁と、前記環状体を覆って内向きに延在する頂部の出っ張りとを有する環状カバーであって、前記頂部の出っ張りが前記外壁から半径方向内向きに、前記頂部の出っ張りの内縁と前記内壁との間に隙間を画定する位置まで延在する、環状カバーと、
前記環状体に前記カバーを固定するために、前記環状体と前記環状カバーの対向する縁にある、相互に係合する機構と、
前記傾斜壁に設けられる少なくとも１つの開口とを備えるひだ付きチューブを供給するのに使用するためのカセット。
【手続補正２】
【補正対象書類名】明細書
【補正対象項目名】００６１
【補正方法】変更
【補正の内容】
【００６１】
[0083]本明細書で提供した図および例は、説明のためであって添付の特許請求の範囲を制限することを意図したものではない。本発明の広範な発明的概念から逸脱することなく上記の実施形態に対して変更や修正を行うことができることは当業者であれば認識するであろう。したがって、本発明は、説明された特定の実施形態に限定されるものではなく、本発明の範囲および趣旨の中にあるすべての修正および変更を包含することを意図していることが理解される。
以上説明したように、本発明は以下の形態を有する。
［形態１］
中央円筒コアとともに概ねＵ字形のハウジングを有する環状体と、
前記環状体を覆って内向きに延在して隙間を画定する環状カバーであって、前記環状体に固定される環状カバーと、
前記環状体の傾斜壁に設けられる少なくとも１つの開口とを備えるひだ付きチューブを供給するのに使用するためのカセット。
［形態２］
前記傾斜壁が前記環状体の内壁と外壁との間に配置される、形態１に記載のカセット。
［形態３］
前記傾斜壁が前記内壁と前記外壁との間で上り傾斜となる、形態１に記載のカセット。
［形態４］
前記傾斜壁が前記内壁と前記外壁との間で下り傾斜となる、形態１に記載のカセット。
［形態５］
前記環状体が下壁をさらに含み、前記傾斜壁が内壁と前記下壁との間に配置される、形態１に記載のカセット。
［形態６］
前記環状体が下壁をさらに含み、前記傾斜壁が外壁と前記下壁との間に配置される、形態１に記載のカセット。
［形態７］
前記開口が前記底壁内へ延在する、形態５に記載のカセット。
［形態８］
前記開口が前記外壁内へ延在する、形態５に記載のカセット。
［形態９］
前記開口が前記内壁内へ延在する、形態５に記載のカセット。
［形態１０］
前記開口が前記内壁、前記外壁、および前記底壁の内の少なくとも１つの中へさらに延在する、形態５に記載のカセット。
［形態１１］
前記環状カバーが外壁と出っ張りとをさらに備え、前記出っ張りが、前記外壁から半径方向内向きに前記環状体を覆って延在して、前記出っ張りの内縁と前記環状体の前記内壁との間に前記隙間を画定し、
前記外壁が前記半径方向内向きに延在する出っ張りよりわずかに高く延在して同心のリップを画定して、前記カセットの前記環状カバーの前記出っ張りの一部の上に別のカセットが積み重ねられている間、前記別のカセットが前記リップ内に固定することができる、形態２に記載のカセット。
［形態１２］
開口した中央円筒コアとともに概ねＵ字形のハウジングを有する環状体であって、内壁、傾斜壁、および外壁を有する環状体と、
外壁と出っ張りとを有し、前記出っ張りが、前記外壁から半径方向内向きに前記環状体を覆って延在して、前記出っ張りの内縁と前記環状体の前記内壁との間に隙間を画定する、環状カバーと、
協働して前記環状体に前記カバーを固定する、前記環状体と前記環状カバーの対向する縁にある、相互に係合する機構と、
前記傾斜壁に設けられる少なくとも１つの開口とを備えるひだ付きチューブを供給するのに使用するためのカセット。
［形態１３］
前記環状体が下壁をさらに含み、前記傾斜壁が内壁と前記下壁との間に配置される、形態１２に記載のカセット。
［形態１４］
前記環状カバーの前記外壁が前記半径方向内向きに延在する頂部の出っ張りよりわずかに高く延在して同心のリップを画定して、前記環状カバーの前記頂部の出っ張りの一部の上に別のカセットが積み重ねられている間、前記別のカセットが前記リップ内に固定することができる、形態１２に記載のカセット。
［形態１５］
中央円筒コアとともに概ねＵ字形のハウジングを有する環状体であって、内壁、傾斜壁、底壁、および外壁を有する環状体と、
外壁と、前記環状体を覆って内向きに延在する頂部の出っ張りとを有する環状カバーであって、前記頂部の出っ張りが前記外壁から半径方向内向きに、前記頂部の出っ張りの内縁と前記内壁との間に隙間を画定する位置まで延在する、環状カバーと、
前記環状体に前記カバーを固定するために、前記環状体と前記環状カバーの対向する縁にある、相互に係合する機構と、
前記傾斜壁に設けられる少なくとも１つの開口とを備えるひだ付きチューブを供給するのに使用するためのカセット。
［形態１６］
前記開口が前記底壁内へ延在する、形態１５に記載のカセット。
［形態１７］
前記開口が前記外壁内へ延在する、形態１５に記載のカセット。
［形態１８］
前記開口が前記内壁内へ延在する、形態１５に記載のカセット。
［形態１９］
前記開口が前記内壁、前記外壁、および前記底壁の内の少なくとも１つの中へさらに延在する、形態１５に記載のカセット。
［形態２０］
前記外壁が前記頂部の出っ張りより上に延在して、上に積み重ねられた別のカセットの環状体の下端を固定するように構成されるリムを画定する、形態１５に記載のカセット。